(57)【要約】【課題】  極めて簡単に開錠操作が可能な錠前を提供する。【解決手段】  回転可能なダイヤル５と、ダイヤル５の先端に取り付けられた下円板７と、下円板７と対向する中円板８とを備える。下円板７の反ダイヤル５側の面に第１突起７１を、下円板７と対向する中円板８の面に第２突起８２を備える。下円板７と中円板８が各々縦切欠部２４ａ，２４ｂを有する。下円板７の回転により第１突起７１と第２突起８２が当接するよう、下円板７と中円板８を保持する部材１０を備える。下円板７と中円板８に対向する位置に横切欠部１２ａ，１２ｂを有し、これらが縦切欠部２４ａ，２４ｂと対向しているときは軸方向に移動可能、対向していないときは移動不可能となる係止杆１３を備える。保持部材１０及び係止杆１３を収容するハウジング１５を備える。【選択図】図１
0003102754.tif 000002
【実用新案登録請求の範囲】
【請求項１】
複数の識別符号が環状に配列された状態で表示された表示部材(6)と、
前記複数の識別符号の配列中心の周りを前記表示部材(6)に対して回転可能であって、前記表示部材(6)に表示された前記複数の識別符号のうちのいずれか１つを回転角度に応じて選択的に指示する目印が表示された操作部材(5)と、
前記操作部材(5)の回転に伴って前記配列中心の周りを回転可能であると共に、前記操作部材(5)とは反対側の面に形成された第１の突起(71)と、前記操作部材(5)の回転軸と平行に切り欠かれた第１の縦切欠部(24a)とを有する第１の円板(7)と、
前記配列中心の周りを回転可能であると共に、前記第１の円板(7)との対向面に形成された第２の突起(82)と、前記操作部材(5)の回転軸と平行に切り欠かれた第２の縦切欠部(24b)とを有する第２の円板(8)と、
前記第１の円板(7)の回転に伴って前記第１の突起(71)と前記第２の突起(82)とが当接可能な位置に前記第１の円板(7)及び前記第２の円板(8)を保持する保持部材(10)と、
前記操作部材(5)の回転軸と直交する方向に切り欠かれた第１の横切欠部(12a)及び第２の横切欠部(12b)が、それぞれ、前記第１の円板(7)及び前記第２の円板(8)に対向する位置に形成された棒状部材(12)と、
前記保持部材(10)及び前記棒状部材(12)を収容するハウジング(15)とを備えており、
前記ハウジング(15)は、
前記第１の円板(7)及び前記第２の円板(8)が、前記第１の縦切欠部(24a)及び前記第２の縦切欠部(24b)とこれら縦切欠部以外の部分との両方において、前記棒状部材(12)の前記第１の横切欠部(12a)及び前記第２の横切欠部(12b)とそれぞれ対向可能であって、
前記第１の縦切欠部(24a)及び前記第２の縦切欠部(24b)が前記第１の横切欠部(12a)及び前記第２の横切欠部(12b)とそれぞれ対向している状態において、前記棒状部材(12)がその軸方向に沿って変位可能となり、且つ、
前記第１の円板(7)及び前記第２の円板(8)の前記第１の縦切欠部(24a)及び前記第２の縦切欠部(24b)以外の部分が前記第１の横切欠部(12a)及び第２の横切欠部(12b)とそれぞれ対向している状態において、前記棒状部材(12)がその軸方向に沿って変位不可能となるように、前記保持部材(10)及び前記棒状部材(12)を収容している錠前。
【請求項２】
前記第２の円板(8)が、前記第１の円板(7)との対向面と反対側の面に形成された第３の突起(81)を有し、
前記配列中心の周りを回転可能であると共に、前記第２の円板(8)との対向面に形成された第４の突起(92)と、前記操作部材(5)の回転軸と平行に切り欠かれた第３の縦切欠部(24c)とを有する第３の円板(9)、をさらに備え、
前記保持部材(10)が、前記第３の円板(9)の回転に伴って前記第３の突起(81)と前記第４の突起(92)とが当接可能に前記第３の円板(9)を保持し、
前記棒状部材(12)が、前記第３の円板(9)に対向する位置に前記操作部材(5)の回転軸と直交する方向に切り欠かれた第３の横切欠部(12c)が形成され、
前記第３の円板(9)が、前記第３の縦切欠部(24c)とこの縦切欠部以外の部分との両方において、前記棒状部材(12)の前記第３の横切欠部(12c)と対向可能であって、
前記第３の縦切欠部(24c)が前記第３の横切欠部(12c)と対向している状態において、前記棒状部材(12)がその軸方向に沿って変位可能となり、且つ、
前記第３の円板(9)の前記第３の縦切欠部(24c)以外の部分が前記第３の横切欠部(12c)と対向している状態において、前記棒状部材(12)がその軸方向に沿って変位不可能となるように、前記保持部材(10)及び前記棒状部材(12)を収容している請求項１に記載の錠前。
【請求項３】
前記ハウジング(15)に固定された軸柱(16)と、前記軸柱(16)に固定された板バネ(22)と、前記板バネ(22)に固定された球状部材(23)とをさらに備え、
前記第２の円板(8)及び第３の円板(9)がそれぞれの中央に孔(26)を有し、前記孔(26)に沿った第２の円板(8)及び第３の円板(9)の内周には、半円に切り欠かれた溝(25)が前記識別符号の数だけ形成されており、前記第２の円板(8)及び第３の円板(9)が回転したとき、前記板バネ(22)が弾性変形することによって、前記球状部材(23)が前記半円に切り欠かれた溝(25)の形状に沿って移動し、前記球状部材(23)と前記溝(25)が係合しているときに、前記操作部材(5)に表示された目印(3a)が、前記識別符号のうちのいずれか１つを指示することを特徴とする請求項１又は２に記載の錠前。
【請求項４】
前記棒状部材(12)がＪ字状の係止杆(13)であって、前記第１の円板(7)、前記第２の円板(8)又は前記第３の円板(9)の前記第１の縦切欠部(24a)、前記第２の縦切欠部(24b)又は前記第３の縦切欠部(24c)以外の部分が前記第１の横切欠部(12a)、第２の横切欠部(12b)又は第３の横切欠部(12c)と対向している状態において、前記棒状部材(12)の他方が係合可能な係合穴(15b)が前記ハウジング(15)に形成されていることを特徴とする請求項１乃至３のいずれか一項に記載の錠前。
【請求項５】
前記棒状部材(12)がワイヤー又はチェーンの先端に取り付けられており、前記ワイヤー又はチェーンの他端が前記ハウジング(15)に取り付けられているとともに、前記棒状部材(12)が前記ハウジング(15)に着脱可能に取り付けられていることを特徴とする請求項１乃至３のいずれか一項に記載の錠前。
【考案の詳細な説明】
【技術分野】
【０００１】
本考案は、ダイヤルを所要回数回して開錠を行うダイヤル式錠前に関するものである。
【背景技術】
【０００２】
０から９までの番号を有する複数のダイヤルを隣接して設け、各ダイヤルをそれぞれ回動し、予め定められた暗証番号に合わせることで開錠できる錠前は広く知られている。
【０００３】
しかしながら、このような錠前を開錠することは煩わしいという問題がある。なぜなら、開錠するするためには、全てのダイヤルを一つのダイヤルずつ順に操作しなければならないが、この際、隣接する他のダイヤルも同時に回してしまうことが多いからである。したがって、最後のダイヤルを回す際に、他のダイヤルも一緒に回してしまうと、折角合わせたダイヤルまで再度合わせる必要があるという問題があった。
【考案の開示】
【考案が解決しようとする課題】
【０００４】
本考案は、上記問題点に鑑みてなされたものであって、極めて簡単に開錠操作が可能な錠前を提供することを目的とする。
【課題を解決するための手段及び効果】
【０００５】
本考案において、以下の特徴は単独で、若しくは、適宜組合わされて備えられている。前記課題を解決するための本考案に係る錠前は、複数の識別符号が環状に配列された状態で表示された表示部材(6)と、前記複数の識別符号の配列中心の周りを前記表示部材(6)に対して回転可能であって、前記表示部材(6)に表示された前記複数の識別符号のうちのいずれか１つを回転角度に応じて選択的に指示する目印が表示された操作部材(5)と、前記操作部材(5)の回転に伴って前記配列中心の周りを回転可能であると共に、前記操作部材(5)とは反対側の面に形成された第１の突起(71)と、前記操作部材(5)の回転軸と平行に切り欠かれた第１の縦切欠部(24a)とを有する第１の円板(7)と、前記配列中心の周りを回転可能であると共に、前記第１の円板(7)との対向面に形成された第２の突起(82)と、前記操作部材(5)の回転軸と平行に切り欠かれた第２の縦切欠部(24b)とを有する第２の円板(8)と、前記第１の円板(7)の回転に伴って前記第１の突起(71)と前記第２の突起(82)とが当接可能な位置に前記第１の円板(7)及び前記第２の円板(8)を保持する保持部材(10)と、前記操作部材(5)の回転軸と直交する方向に切り欠かれた第１の横切欠部(12a)及び第２の横切欠部(12b)が、それぞれ、前記第１の円板(7)及び前記第２の円板(8)に対向する位置に形成された棒状部材(12)と、前記保持部材(10)及び前記棒状部材(12)を収容するハウジング(15)とを備えており、前記ハウジング(15)は、前記第１の円板(7)及び前記第２の円板(8)が、前記第１の縦切欠部(24a)及び前記第２の縦切欠部(24b)とこれら縦切欠部以外の部分との両方において、前記棒状部材(12)の前記第１の横切欠部(12a)及び前記第２の横切欠部(12b)とそれぞれ対向可能であって、前記第１の縦切欠部(24a)及び前記第２の縦切欠部(24b)が前記第１の横切欠部(12a)及び前記第２の横切欠部(12b)とそれぞれ対向している状態において、前記棒状部材(12)がその軸方向に沿って変位可能となり、且つ、前記第１の円板(7)及び前記第２の円板(8)の前記第１の縦切欠部(24a)及び前記第２の縦切欠部(24b)以外の部分が前記第１の横切欠部(12a)及び第２の横切欠部(12b)とそれぞれ対向している状態において、前記棒状部材(12)がその軸方向に沿って変位不可能となるように、前記保持部材(10)及び前記棒状部材(12)を収容していることを特徴とする。この錠前によれば、一つの操作部材(5)を回転させるのみで、極めて簡単に開錠操作することができる。
【０００６】
また、本考案に係る錠前は、前記第２の円板(8)が、前記第１の円板(7)との対向面と反対側の面に形成された第３の突起(81)を有し、前記配列中心の周りを回転可能であると共に、前記第２の円板(8)との対向面に形成された第４の突起(92)と、前記操作部材(5)の回転軸と平行に切り欠かれた第３の縦切欠部(24c)とを有する第３の円板(9)、をさらに備え、前記保持部材(10)が、前記第３の円板(9)の回転に伴って前記第３の突起(81)と前記第４の突起(92)とが当接可能に前記第３の円板(9)を保持し、前記棒状部材(12)が、前記第３の円板(9)に対向する位置に前記操作部材(5)の回転軸と直交する方向に切り欠かれた第３の横切欠部(12c)が形成され、前記第３の円板(9)が、前記第３の縦切欠部(24c)とこの縦切欠部以外の部分との両方において、前記棒状部材(12)の前記第３の横切欠部(12c)と対向可能であって、前記第３の縦切欠部(24c)が前記第３の横切欠部(12c)と対向している状態において、前記棒状部材(12)がその軸方向に沿って変位可能となり、且つ、前記第３の円板(9)の前記第３の縦切欠部(24c)以外の部分が前記第３の横切欠部(12c)と対向している状態において、前記棒状部材(12)がその軸方向に沿って変位不可能となるように、前記保持部材(10)及び前記棒状部材(12)を収容していることが好ましい。これによると、簡易な構成で、開錠操作の組み合わせの通り数がさらに増えるので、より防犯効果が向上し、なおかつ簡単に開錠操作ができる。
【０００７】
また、本考案に係る錠前は、前記ハウジング(15)に固定された軸柱(16)と、前記軸柱(16)に固定された板バネ(22)と、前記板バネ(22)に固定された球状部材(23)とをさらに備え、前記第２の円板(8)及び第３の円板(9)がそれぞれの中央に孔(26)を有し、前記孔(26)に沿った第２の円板(8)及び第３の円板(9)の内周には、半円に切り欠かれた溝(25)が前記識別符号の数だけ形成されており、前記第２の円板(8)及び第３の円板(9)が回転したとき、前記板バネ(22)が弾性変形することによって、前記球状部材(23)が前記半円に切り欠かれた溝(25)の形状に沿って移動し、前記球状部材(23)と前記溝(25)が係合しているときに、前記操作部材(5)に表示された目印(3a)が、前記識別符号のうちのいずれか１つを指示することが好ましい。これによれば、識別符号決定部が識別符号を確実に示すので、正確に開錠操作を行うことができる。
【０００８】
また、本考案に係る錠前は、前記棒状部材(12)がＪ字状の係止杆(13)であって、前記第１の円板(7)、前記第２の円板(8)又は前記第３の円板(9)の前記第１の縦切欠部(24a)、前記第２の縦切欠部(24b)又は前記第３の縦切欠部(24c)以外の部分が前記第１の横切欠部(12a)、第２の横切欠部(12b)又は第３の横切欠部(12c)と対向している状態において、前記棒状部材(12)の他方が係合可能な係合穴(15b)が前記ハウジング(15)に形成されていることが好ましい。これによれば、極めて簡単な構成で、開錠操作が簡単なＪ字状の係止杆(13)を備えた汎用性の高い錠前を提供することができる。
【０００９】
また、本考案に係る錠前は、前記棒状部材(12)がワイヤー又はチェーンの先端に取り付けられており、前記ワイヤー又はチェーンの他端が前記ハウジング(15)に取り付けられているとともに、前記棒状部材(12)が前記ハウジング(15)に着脱可能に取り付けられていることが好ましい。これによれば、極めて簡単な構成で、開錠操作が簡単なワイヤー又はチェーンの先端に鍵部が取り付けられた錠前を提供することができる。
【考案を実施するための最良の形態】
【００１０】
以下、本考案に係る錠前の実施形態について説明する。図１は、本考案の一実施形態に関わる錠前の正断面図、図２は、図１に図示するＡ−Ａ線断面図である。図１において、本考案に関わる錠前１は、識別符号が表示された表示部材６と、操作部材としてのダイヤル５と、第１の円板として最下段に配置された下円板７と、第２の円板として中段に配置された中円板８と、最上段に配置された上円板９と、下円板７、中円板８、及び上円板９を保持する円板保持部材１０と、棒状の係止杆１３と、下面中央部に円形の開口部１５ａを有したハウジング１５とを主要な構成部品として備えている。これらの各構成について、以下に詳細に説明する。
【００１１】
表示部材６は、ハウジング１５に固定して取り付けられている。また、表示部材６の表面には、ダイヤル傘３に表示された矢印３ａで指示可能であるように、環状にほぼ等間隔で０から９までの番号が識別符号として配列表示されている。なお、識別符号は、０から９までの番号に限られず、任意の番号を使用しても構わない。また、数字に限られるものではなく、記号やアルファベットなどであってもよい。
【００１２】
図１において、ダイヤル５は、ダイヤル軸２と、ダイヤル傘３と、ダイヤル軸支持板４とから構成されており、ハウジング１５の開口部１５ａで軸受１８，１９によって回転自在に支持されている。ダイヤル傘３は、開錠操作時、表示部材６に表示された複数の番号のうちのいずれか１つを回転角度に応じて選択的に指示するために、その表面に矢印３ａが表示されており、ダイヤル軸２に固定して取り付けられている。なお、表示部材６に表示された複数の番号のうちのいずれか１つを回転角度に応じて選択的に指示可能な目印であれば矢印３ａに限られるものではない。ダイヤル軸支持板４は、中央部が開口された円板であって、中央部の開口にダイヤル軸２が嵌入され、一体的に取り付けられている。そして、ダイヤル軸２は、ダイヤル傘３とダイヤル軸支持板４とによって、紙面の上下方向に移動しないように構成されている。また、ダイヤル軸２を左右に回すことができるように、その先端が露出している。即ち、ダイヤル軸２を回すことによって、ダイヤル傘３に表示された矢印３ａを、ハウジング１５に固定された表示部材６に表示された番号のうちのいずれか１つを回転角度に応じて選択的に指示可能な構成となっている。なお、ダイヤル軸支持板４とハウジング１５の間、及びダイヤル傘３と軸受１９の間には、ダイヤル軸２を滑らかに回すことができるようにスラスト軸受１７，２０が配置されている。
【００１３】
図１及び図２において、下円板７は、ダイヤル５の回転に伴って表示部材６に表示された複数の番号の配列中心の周りを回転可能であるように裏面７ｂがダイヤル軸２の先端に固定して取り付けられ、ハウジング１５内に収納されている。また、下円板７の表面７ａには、下円板７の中心から所定の位置に作動突起７１が設けられており、下円板７の作動突起７１は、下円板７が回転したとき、その中心から所定の位置を半径とした円弧状の軌道を描くこととなる。さらに、下円板７の外周端の一部は、外周にダイヤル軸２と平行に切り欠かれた縦切欠部２４ａ（図示されていないが、図２に図示される縦切欠部２４ｂと同様の切欠形状をしている。）が形成されている。なお、縦切欠部２４ａについては、以後の説明にも記載されているので、縦切欠部２４ｂと同様の切欠形状であることを覚えておくと良い。
【００１４】
中円板８、及び上円板９は、いずれもその中央に孔２６が形成されており、前記孔２６に沿った中円板８及び上円板９の内周には、周方向に沿ってほぼ等間隔に半円に切り欠かれた係合溝２５が形成されている。この係合溝２５は、後述する係合球２３と係合可能となっている。なお、この係合溝２５の各溝は、表示部材６のいずれかの番号と対応しており、係合球２３と係合溝２５が係合しているとき、ダイヤル傘３の矢印３ａはいずれかの番号を示すように構成されている。また、中円板８の表面８ａには、下円板７と同様、その中心から所定の位置に作動突起８１が設けられている。一方、中円板８の裏面８ｂには、ダイヤル２を回して下円板７が回転しているときに下円板７の作動突起７１と当接する位置に被作動突起８２が設けられ、上円板９の裏面９ｂには、中円板８が回転しているときに中円板８の作動突起８１と当接する位置に被作動突起９２が設けられている。
【００１５】
また、中円板８、及び上円板９は、下円板７と同様、外周にダイヤル軸２と平行に切り欠かれた縦切欠部２４ｂ，２４ｃ（図示されていないが、図２に図示される縦切欠部２４ｂと同様の形状）が形成されている。そして、中円板８、及び上円板９の孔２６には、ダイヤル軸２と同軸上であって、ハウジング１５の開口部１５ａを有する面と反対側の面に固定されて軸柱１６が位置している。この軸柱１６には、中円板８、及び上円板９が配置される位置に板バネ２２が取り付けられている。また、板バネ２２には、係合溝２５と係合可能な位置に係合球２３が取り付けられている。
【００１６】
円板保持部材１０は、薄肉円筒の一部を、その長手方向に（組み立てた状態で第２鍵棒１２の軸に沿った方向に）所定の幅で切り欠いた形状となっている。また、下円板７の表面７ａと中円板８の裏面８ｂ、及び中円板８の表面８ａと上円板９の裏面９ｂがそれぞれ対向し、かつ下円板７が回転したときに下円板７の作動突起７１と中円板８の被作動突起８２とが、中円板８が回転したときに中円板８の作動突起８１と上円板９の被作動突起９２とがそれぞれ当接するように、中円板８と上円板９を内装している。また、円板保持部材１０の内径側であって、各円板７，８，９の作動突起７１，８１、及び被作動突起８２，９２を避ける位置に、中円板８、及び上円板９の上下方向の位置を保持するための円板支え板２１が周方向に取り付けられている。なお、中円板８、及び上円板９を支持する円板支え板２１の面と、中円板８、及び上円板９とは摺動するので、円板支え板２１は真鍮などの材質であることが好ましい。また、円板保持部材１０は、組立て時に、中円板８、及び上円板９を円筒保持部材１０に内装できるように、第１保持部材１０ａと第２保持部材１０ｂとに分割されて構成され、中円板８、及び上円板９を内装したのちに、第１保持部材１０ａと第２保持部材１０ｂを連結させて円板保持部材１０を形成している。
【００１７】
次に、係止杆１３について、図３を用いて説明する。図３は、本考案の一実施形態に関わる錠前の係止杆１３の正面図である。図３において、棒状の係止杆１３は、１本の棒を屈曲させてＪ状に形成したものであり、先端が短い第１鍵棒１１と、先端が長い第２鍵棒１２とを有している。そして、第２鍵棒１２の長手方向のほぼ中央部に、その径外方向に突出した留め金１４を有しており、それより下方に各円板７、８、９の外周と係合するよう、各円板７，８，９と対向する位置に、ダイヤル軸２と直交する方向に切り欠かれた横切欠部１２ａ，１２ｂ，１２ｃを有している。
【００１８】
図１に戻って、ハウジング１５は、下円板７、中円板８、上円板９、円板保持部材１０、及び係止杆１３の第２鍵棒１２の留め金１４より下方の部位(即ち、留め金１４より下方であって横切欠部１２ａ，１２ｂ，１２ｃを含む部位)を収納している。また、その下面中央部に円形の開口部１５ａと、上面に第２鍵棒１２を貫通させるための貫通孔１５ｃを有している。円形の開口部１５ａにはダイヤル軸２が、貫通孔１５ｃには係止杆１３の第２鍵棒１２が貫通している。なお、貫通孔１５ｃは、各円板７、８、９の外周が第２鍵棒１２の横切欠部１２ａ，１２ｂ，１２ｃに係合し、かつ下円板７と中円板８と上円板９の縦切欠部２４ａ，２４ｂ，２４ｃが横切欠部１２ａ，１２ｂ，１２ｃと対向している状態において、係止杆１３がその軸方向に沿って変位可能となるよう、貫通孔１５ｃが設けられている。また、ハウジング１５は、第１鍵棒１１の先端が係合可能な係合穴１５ｂをも有している。
【００１９】
次に、本実施形態における錠前１の作用について詳しく説明する。錠前１は、予め定められた開錠番号に従ってダイヤル軸２が操作されることによって開錠される。即ち、各円板７，８，９の外周は、係止杆１３の第２鍵棒１２に設けられた横切欠部１２ａ，１２ｂ，１２ｃに係合しているので、各円板７，８，９に形成された縦切欠部２４ａ，２４ｂ，２４ｃのそれぞれが第２鍵棒１２の横切欠部１２ａ，１２ｂ，１２ｃに対向して係合されていない限り、第２鍵棒１２の軸方向に沿った上下方向の移動が制限され、変位不可能となる。一方、各円板７，８，９に形成された縦切欠部２４ａ，２４ｂ，２４ｃが第２鍵棒１２に係合されれば、第２鍵棒１２の軸方向に沿った上下方向の移動の制限が解除され、変位可能となる。以下に、ダイヤル軸２の操作方法について、図１、図２、及び図４を用いて説明する。
【００２０】
図４は、本考案の一実施形態に関わる錠前１の底面図である。なお、本実施形態における開錠番号は、「右３→左７→右５」であるとする。先ず、ダイヤル軸２を右に回転させる。ここで、下円板７は、ダイヤル軸２に固定されて取り付けられているので、ダイヤル軸２の回転に伴って下円板７も回転する。すると、ダイヤル軸２を１回転させるまでに下円板７の作動突起７１と中円板８の被作動突起８２が当接し、以降、ダイヤル軸２の回転に伴って下円板７と中円板８が回転する。即ち、少なくとも２回転目以降は、必ず下円板７と中円板８がともに回転することとなる。さらに、ダイヤル軸２を回転させると、ダイヤル軸２の回転が２回転終了するまでに中円板８の作動突起８１と上円板９の被作動突起９２が当接し、以降、ダイヤル軸２の回転に伴って下円板７、中円板８、及び上円板９が回転する。このときも、前述同様、少なくともダイヤル軸２の回転が３回転目終了以降は、必ず下円板７、中円板８、及び上円板９がともに回転することになる。そして、ダイヤル軸２の回転が３回転目終了以降に、ダイヤル傘３の矢印３ａが表示部材６の『３』を指す位置でダイヤル軸２の回転を止める。このとき、上円板９に形成された縦切欠部２４ｃは、係止杆１３の第２鍵棒１２の横切欠部１２ｃと対向する位置に配置される。
【００２１】
次に、ダイヤル軸２を左に回転させる。すると、前述同様に、ダイヤル軸２を１回転させるまでに下円板７の作動突起７１と中円板８の被作動突起８２が当接し、以降、ダイヤル軸２の回転に伴って下円板７と中円板８が回転する。そして、ダイヤル軸２の２回転目に、ダイヤル傘３の矢印３ａが表示部材６の『７』を指す位置でダイヤル軸２の回転を止める。このとき、中円板８に形成された縦切欠部２４ｂは、係止杆１３の第２鍵棒１２の横切欠部１２ｂと対向する位置に配置される。
【００２２】
最後に、ダイヤル軸２を右に回転させて、ダイヤル傘３の矢印３ａが表示部材６の『５』を指す位置でダイヤル軸２の回転を止める。このとき、下円板７に形成された縦切欠部２４ａは、係止杆１３の第２鍵棒１２の横切欠部１２ａと対向する位置に配置される。
【００２３】
このように、各円盤７，８，９に形成された縦切欠部２４ａ，２４ｂ，２４ｃがそれぞれ係止杆１３の第２鍵棒１２の横切欠部１２ａ，１２ｂ，１２ｃと対向して配置されると、第２鍵棒１２を上下方向に移動させて開錠することが可能となる。即ち、第２鍵棒１２を上方向に引き上げると、第１鍵棒１１とハウジング１５の係合穴１５ｂが解除される。ただし、第２鍵棒１３は、留め金１４によって上方向への移動が制限されているので、たとえ、各円盤７，８，９に形成された縦切欠部２４ａ，２４ｂ，２４ｃがそれぞれ係止杆１３の第２鍵棒１２の横切欠部１２ａ，１２ｂ，１２ｃと対向して配置されたとしても、第２鍵棒１２をハウジング１５から完全に引き抜くことができない。
【００２４】
なお、錠前１の開錠操作を行い、第１鍵棒１１とハウジング１５の係合穴１５ｂとの係合が解除されたのち、再び第１鍵棒１１とハウジング１５の係合穴１５ｂとを係合させてダイヤル操作を行うと施錠されることはいうまでもない。
【００２５】
また、中円板８、及び上円板９は、軸柱１６を中心に回転する。ここで、軸柱１６はハウジング１５に固定されており、板バネ２２と係合球２３は軸柱１６に固定されている。したがって、中円板８、及び上円板９が回転すると、板バネ２２が紙面の左右方向に弾性変形するので、係合球２３は、係合溝２５の形状に沿って移動することになる。ここで、係合球２３と係合溝２５が係合しているとき、ダイヤル傘３の矢印３ａが表示部材６のいずれかの番号を示す。即ち、ダイヤル傘３の矢印３ａは、表示部材６に表示される番号と番号の間（中途半端な位置）ではダイヤル軸２が固定されず、不安定な状態となる。
【００２６】
なお、本実施形態では、Ｊ字状の係止杆１３を備えた錠前１について説明したが、これに限られるものではない。例えば、図５に示されるような自転車やバイクの車輪を施錠するときに用いられるワイヤー付きの錠前であってもよい。図５は、本考案の実施形態に関わる錠前の変形として示す、ワイヤー付の錠前１の概観図である。図５に図示される錠前１のダイヤル５と各円板７，８，９は、Ｊ字状の係止杆１３を備えた錠前１と同様の構成である。したがって、ダイヤル軸２による開錠操作方法、及び各円板７，８，９の作用については、Ｊ字状の係止杆１３を備えた錠前１と同様である。異なるのは、係止杆１３の替わりにワイヤー２７と鍵２８を使用することによって鍵２８がハウジング１５に着脱可能に取り付けられている点、及び係止杆１３の替わりにワイヤー２７と鍵２８を使用したことによってハウジング１５の構成が若干異なることとなった点である。
【００２７】
尚、本考案は、上記の好ましい実施形態に記載されているが、本考案はそれだけに制限されない。本考案の精神と範囲から逸脱することのない様々な実施形態が他になされることができることは理解されよう。例えば、本実施形態においては下円板７、中円板８、上円板９を備えているが、少なくとも下円板７と中円板８を備えていれば、本考案の目的を達成することができる。また、３枚より多くの円板を備えていても本考案の目的を達成できることは言うまでもない。
【図面の簡単な説明】
【００２８】
【図１】本考案の一実施形態に関わる錠前の正断面図である。
【図２】図１に図示するＡ−Ａ線断面図である。
【図３】本考案の一実施形態に関わる錠前の係止杆の正面図である。
【図４】本考案の一実施形態に関わる錠前の底面図である。
【図５】本考案の実施形態に関わる錠前の変形例として示す、ワイヤー付の錠前の概観図である。
【符号の説明】
【００２９】
１      錠前
２      ダイヤル軸
３      ダイヤル傘
３ａ    矢印
４      ダイヤル軸支持板
５      ダイヤル
６      表示部材
７      下円板
７ａ    下円板の表面
７ｂ    下円板の裏面
８      中円板
８ａ    中円板の表面
８ｂ    中円板の裏面
９      上円板
９ａ    上円板の表面
９ｂ    上円板の裏面
１０    円板保持部材
１０ａ  第１保持部材
１０ｂ  第２保持部材
１１    第１鍵棒
１２    第２鍵棒
１２ａ〜１２ｃ  横切欠部
１３    係止杆
１４    留め金
１５    ハウジング
１５ａ  開口部
１５ｂ  係合穴
１５ｃ  貫通孔
１６    軸柱
１７，１８，１９，２０  軸受
２１    円板支え板
２２    板バネ
２３    係合球
２４ａ，２４ｂ，２４ｃ    縦切欠部
２５    係合溝
２６    孔
２７    ワイヤー
２８    鍵
７１    下円板の作動突起
８１    中円板の作動突起
８２    中円板の被作動突起
９２    上円板の被作動突起
【図１】
0003102754.tif 000003
【図２】
0003102754.tif 000004
【図３】
0003102754.tif 000005
【図４】
0003102754.tif 000006
【図５】
0003102754.tif 000007